(57)【要約】      （修正有）【課題】放熱効率の良好な照明装置を提供する。【解決手段】発光素子（ＬＥＤ２）を発光させることで照明する照明装置において、発光素子を保持する保持体（保持板４）と、保持体に設けられ、放熱面が互いに向かい合うように配置される複数の放熱板６Ａ〜６Ｅと、を備え、少なくとも、複数の放熱板の配置方向の両端のいずれかに配置される放熱板には、その一方の放熱面から他方の放熱面に貫通する貫通孔６Ａ１等が形成されている。【選択図】図５
2010073649.tif 000002
【特許請求の範囲】
【請求項１】
発光素子を発光させることで照明する照明装置において、
上記発光素子を保持する保持体と、
上記保持体に設けられ、放熱面が互いに向かい合うように配置される複数の放熱板と、を備え、
少なくとも、上記複数の放熱板の配置方向の両端のいずれかに配置される上記放熱板には、一方の放熱面から他方の放熱面に貫通する貫通孔が形成されていることを特徴とする照明装置。
【請求項２】
請求項１に記載の照明装置において、前記保持体から前記貫通孔までの距離は、前記放熱板の前記保持体に対して反対側に位置する縁部と前記保持体との間の距離の半分以下であることを特徴とする照明装置。
【請求項３】
請求項１または２に記載の照明装置において、前記貫通孔は、少なくとも一対の隣り合って配置される前記放熱板に形成され、前記貫通孔は、前記複数の放熱板が配置される方向に沿って、かつ、前記放熱板が配置される側の前記保持体の表面形状に沿って形成されることを特徴とする照明装置。
【請求項４】
請求項１から３のいずれか１項に記載の照明装置において、前記貫通孔が形成される放熱板と、この放熱板に隣り合う放熱板とは平行に設けられていることを特徴とする照明装置。
【請求項５】
請求項１から４のいずれか１項に記載の照明装置において、前記放熱板が、前記保持体に対して別部材として取り付けられていることを特徴とする照明装置。
【請求項６】
請求項１から５のいずれか１項に記載の照明装置において、前記複数の放熱板は、前記複数の放熱板の配置方向の両端側から内側に向かうに従って、前記放熱板の高さが高くなることを特徴とする照明装置。
【発明の詳細な説明】
【技術分野】
【０００１】
本発明は、照明装置に関する。
【背景技術】
【０００２】
従来より、Light Emitting Diode（ＬＥＤ）等の固体発光素子を用いた照明装置について、その放熱技術が知られている。ＬＥＤは、その性質上、供給される電力のうち約２０％が光に変換され残りの約８０％は熱として放出される。ＬＥＤを用いる照明装置の構成部材には、加熱によって変性しやすい樹脂等が使用されることがある。また、熱がＬＥＤに蓄積すると、光度の低下や寿命の短縮化を招く虞がある。そのため、ＬＥＤを用いる照明装置は、放熱を効率良く行うことが望まれている。
【０００３】
そこで、ＬＥＤを用いる照明装置では、ＬＥＤが保持される保持手段の放熱効率を高めた照明装置が、例えば、特許文献１に提案されている。特許文献１に提案されている照明装置の概略の構成を図１０、図１１に示す。図１１は、図１０の切断線Ａ−Ａにおける断面図である。
【０００４】
照明装置５０は、筐体部５１と、端子部５２と、端子ピン５３と、保護用透光板カバー５４とを備える。また、筐体部５１は、部品６０Ａと部品６０Ｂを有している。筐体部５１の内部には、固体発光素子５５と、保持手段としての基板５６と、を備える。筐体部５１には、流入口５７と、複数の流出口５８と、中空部５９と、が形成される。流入口５７と、複数の流出口５８と、中空部５９とは、それぞれ、筐体部５１の長手方向、すなわち端子ピン５３が配置される方向に沿って複数形成されている。筐体部５１の上側（図１１における上側）における断面は、略半円形状である。
【０００５】
固体発光素子５５で発生した熱は、基板５６をを介して、筐体部５１全体に拡散される。筐体部５１に拡散された熱は、対流を効果的に利用して空気中に放出される。具体的には、まず、筐体部５１の周辺の空気は、筐体部５１に拡散された熱により熱せられ上昇気流となる。この上昇気流となった空気の一部は、筐体部５１の外部表面６１の表面を流れる。この空気は、外部表面６１の熱を受取りながら上昇する。すなわち、外部表面６１から空気への熱の放出が行われる。
【０００６】
また、上昇気流となった空気の別の一部は、流入口５７から中空部５９に流入する。この流入した空気は内部表面６２の熱を受取りながら、流出口５８より再び中空部５９の外部に流出する。この空気は、内部表面６２の熱を受取りながら上昇する。すなわち、内部表面６２から空気への熱の放出が行われる。この際、中空部５９の形状の一部が流線型であることにより、よりスムーズに空気が流れる。なお、図１１では、熱の移動経路を破線矢印で示している。
【０００７】
【特許文献１】特開２００８−１３５３５５号公報
【発明の開示】
【発明が解決しようとする課題】
【０００８】
しかしながら、照明装置５０には、中空部５９が形成されている。そのため、この中空部５０に熱が溜まることがあり、熱が逃げにくい構成となっている。従って、この照明装置５０の構成は、必ずしも放熱効率が高いものではない。
【０００９】
そこで、本発明の目的は、放熱効率の良好な照明装置を提供することである。
【課題を解決するための手段】
【００１０】
上記目的を達成するため、本発明のボール搭載装置は、発光素子を発光させることで照明する照明装置において、発光素子を保持する保持体と、保持体に設けられ、放熱面が互いに向かい合うように配置される複数の放熱板と、を備え、少なくとも、複数の放熱板の配置方向の両端のいずれかに配置される放熱板には、その一方の放熱面から他方の放熱面に貫通する貫通孔が形成されている。
【００１１】
ここで、保持体から貫通孔までの距離は、前記放熱板の前記保持体に対して反対側に位置する縁部と前記保持体との間の距離の半分以下であることが好ましい。
【００１２】
また、貫通孔は、少なくとも一対の隣り合って配置される放熱板に形成され、貫通孔は、複数の放熱板が配置される方向に沿って、かつ、放熱板が配置される側の保持体の表面形状に沿って形成されることが好ましい。
【００１３】
また、貫通孔が形成される放熱板と、この放熱板に隣り合う放熱板とは平行に設けられていることが好ましい。
【００１４】
また、放熱板が、保持体に対して別部材として取り付けられていることが好ましい。
【００１５】
また、複数の放熱板は、複数の放熱板の配置方向の両端側から内側に向かうに従って、放熱板の高さが高くなることが好ましい。
【発明の効果】
【００１６】
本発明では、放熱効率の良好な照明装置を提供することができる。
【発明を実施するための最良の形態】
【００１７】
以下、具体的な本発明の実施の形態に係る照明装置の概略構成およびその照明装置の放熱状況について、図面を参照しながら説明する。
【００１８】
（照明装置１の概略構成）
図１から図５は、本発明の実施の形態に係る照明装置１の概略構成を示す。図１は、照明装置１の正面図であり照明方向は、図１の上側から下側に向う方向となっている。図２は図１の平面図、図３は図１の底面図、図４は図１の側面図である。図５は、図１の切断線Ａ−Ａにおける断面を拡大した断面拡大図であって、後述する固定部８の図示を省略した図である。
【００１９】
照明装置１は、その外形が直管蛍光灯とほぼ同等の形状であり、直管蛍光灯に代替できる構造となっている。照明装置１は、発光素子としての複数のＬＥＤ２と、ＬＥＤ２を保持する保持体としての基板３と、基板３に貼り合わされて一体となる保持体としての保持板４と、ＬＥＤ２が発する光を透光する透明な透光カバー５と、５枚の放熱板６Ａ，６Ｂ，６Ｃ，６Ｄ，６Ｅ（これらを総称するときは、「放熱板６」と記す。）と、を備える。
【００２０】
基板３は、平面視において、左右方向となる２本のピン端子７の配置方向に長い長方形を呈している。保持板４も基板３と同様に、２本のピン端子７の配置方向に長い長方形を呈している。透光カバー５は、保持板４の前後方向となる短尺方向の端部と嵌合することで、保持板４に対して取り付けられている。放熱板６は、保持板４の基板３が貼り付けられる側の面に対して反対側の面に配置されている。ＬＥＤ２には、照明装置１の外部端子である２本のピン端子７が電気的に接続され、ピン端子７は、透光板カバー５および放熱板６と共に、固定部８に取り付けられ固定されている。
【００２１】
ＬＥＤ２は、白色光を発するチップ形のＬＥＤである。このＬＥＤ２は、基板３の一方の面に長尺方向に沿って等間隔で２列に渡って実装されている。基板３に実装されている複数のＬＥＤ２は、それぞれ同一のＬＥＤである。これらのＬＥＤ２の各列のＬＥＤ２は、電気的に直列に接続されている。そして、直列に接続されている各列のＬＥＤ２は、照明装置１のピン端子７に電気的に接続されている。
【００２２】
基板３は、アルミナセラミックからなり、絶縁性を有している。基板３と保持板４とは、基板３から保持板４への熱伝導がスムーズに行われるように、空気層ができるだけ形成されないように貼り合わされている。基板３と保持板４との貼り付けには、例えば、３００℃の温度に耐え得る耐熱性のエポキシ系接着剤を用いている。
【００２３】
保持板４は、金属アルミニウムの成形体からなる。保持板４のうち基板３が貼り付けられた面に対して反対側の面には、その長尺方向（左右方向）に沿って形成される長溝である５本の溝４Ａ，４Ｂ，４Ｃ，４Ｄ，４Ｅ（図５参照  これらを総称するときは、「溝４Ａ等」と記す。）が形成されている。溝４Ａ，４Ｂ，４Ｃ，４Ｄ，４Ｅは、互いに短尺方向に等間隔に形成されている。また、溝４Ａ，４Ｂ，４Ｃ，４Ｄ，４Ｅは、それぞれ、断面が四角形を呈している。
【００２４】
透光カバー５は、基板３のＬＥＤ２が実装されている面とＬＥＤ２を共に覆うように保持板４に取り付けられている。なお、透光カバー５は、透明なアクリル樹脂から形成される成形体である。透光カバー５は、断面の形状が、半円形状を呈している。透光カバー５の前後の両側には、長尺方向に沿って、透明カバー５の内側に突出する２つのタブ５Ａ，５Ｂが設けられている。タブ５Ａと５Ｂは、互いに向かい合う面が平行にとなるように設けられている。
【００２５】
透光カバー５は、タブ５Ａとタブ５Ｂとの間に保持板４の短尺方向の端部を嵌合することで保持板４に対して取り付けられている。保持板４のタブ５Ａの側の面には溝４Ａ等が形成されている。保持板４のタブ５Ｂの側の面には基板３およびＬＥＤ２が配置されている。
【００２６】
放熱板６Ａ，６Ｂ，６Ｃ，６Ｄ，６Ｅ，６Ｆは、保持板４に取り付けられた状態で、それぞれ左右方向に長く上下方向に短い長方形を呈している。放熱板６Ａ，６Ｅは、その短尺方向にある一端の端部が溝４Ａ，４Ｅにそれぞれ嵌め込まれた状態で保持板４に対して取り付けられている。また、放熱板６Ａ，６Ｅは、保持板４の長尺方向の全域に渡って配置されている。放熱板６Ｂ，６Ｄは、放熱板６Ａ，６Ｅよりも幅が広い（図５における保持板４からの高さが高い）ものとなっている。放熱板６Ｂ，６Ｄも、その短尺方向にある一端の端部が溝４Ｂ，４Ｄにそれぞれ嵌め込まれた状態で保持板４に対して取り付けられている。
【００２７】
放熱板６Ｂ，６Ｄについても、保持板４の長尺方向の全域に渡って配置されている。放熱板６Ｃは、放熱板６Ｂ，６Ｄよりも幅が広い（図５における保持板４からの高さが高い）ものとなっている。放熱板６Ｃも、その短尺方向にある一端の端部が溝４Ｃに嵌め込まれた状態で保持板４に対して取り付けられ、放熱板６Ｃについても、保持板４の長尺方向の全域に亘って配置されている。上述のように構成される放熱板６は、保持板４の短尺方向の両側から内側に向かうほど、保持板４からの高さが高くなっている。すなわち、放熱板６は、保持板４に取り付けられた状態で、保持板４に対して反対側に位置する縁部と保持板４との間の距離が、保持板４の短尺方向の両側から内側に向かうほど長くなっている。
【００２８】
なお、溝４Ａ等への放熱板６の取り付けは、保持板４から放熱板６への熱伝導がスムーズに行われるように、溝４Ａ等と放熱板６との間に空気層ができるだけ形成されないように行われ、溝４Ａと放熱板６とは、加締めにより固定されている。ここで加締めは、溝４Ａの溝幅寸法よりも厚み寸法が若干薄い放熱板６を溝４Ａに挿入し、その挿入した状態で溝４Ａの両脇または一方の脇に溝４Ａの長さ方向に沿ってＶローラ等でＶ字溝を形成することで実現する。すなわち、加締めは、Ｖ字溝の形成によって溝４Ａの幅を狭めて放熱板６を押圧することで実現する。
【００２９】
放熱板６には、それぞれ、一方の面から他方の面に貫通する円形の貫通孔６Ａ１，６Ｂ１，６Ｃ１，６Ｄ１，６Ｅ１（これらを総称するときは、「貫通孔６Ａ１等」と記す。）が形成されている。この貫通孔６Ａ１等は、放熱板６の長尺方向に複数等間隔に１列に設けられている。そして、この貫通孔６Ａ１等は、放熱板６の保持板４に非常に近接した位置に形成されている。具体的には、例えば、貫通孔６Ａ１の保持体４側の縁部が、保持体４の面よりやや高い（例えば、１ｍｍ）位置となるように形成されている。
【００３０】
また、各放熱板６のそれぞれに形成されている貫通孔６Ａ１等は、他の放熱板６に形成されている貫通孔６Ａ１等と開口部が互いに対向する位置に形成されている。つまり、貫通孔６Ａ１等は、放熱板６Ａから放熱板６Ｅ（あるいは放熱板６Ｅから放熱板６Ａ）に向けて貫通している。したがって、放熱板６の一方の面に接する空間と他方の面に接する空間とは、貫通孔６Ａ１等によってつながっていることとなる。
【００３１】
（照明装置１の放熱状況）
以下に説明する図６から図９に示す破線の矢印は、照明装置１の周囲の空気の流れを示している。なお、図６から図９は、図５と同様に図１の切断線Ａ−Ａにおける断面図である。
【００３２】
図６は、照明光が上方から下方に向けて照射されるように照明装置１を配置した場合の放熱の状況を示す図である。ピン端子７間に通電することによって、ＬＥＤ２は点灯し発熱する。ＬＥＤ２で発熱した熱は、基板３を介して保持板４に伝導する。保持板４に伝導した熱の一部は、保持板４の上側の面、すなわち、放熱板６が取り付けられる面から空気中に放出され、また一部は、放熱板６に伝導し、放熱板６の表面から空気中に放出される。
【００３３】
ところで、異なる温度の流体が混ざり合っている場合、温度が高く密度の低い流体は、温度が低く密度が高い流体に対して上昇し、逆に、温度が低い流体は温度が高い流体に対して下降する性質がある。したがって、上下方向の両端が開放されている煙突状の空間内部で空気が暖められると、暖められた空気は上昇し上方の開放部から流出する。一方、下部には負圧が働き、空気が流入する。つまり、いわゆる煙突効果が発生する。
【００３４】
保持板４の放熱板６が設けられる側においては、放熱板６により前後方向を区切られた複数の空間６Ｓ１，６Ｓ２，６Ｓ３，６Ｓ４が形成される。この空間の上部は上方に開放され、下側が貫通孔６Ａ１等を介して、照明装置１の周囲に開放されている。したがって、空間６Ｓ１，６Ｓ２，６Ｓ３，６Ｓ４内の空気が暖められると空間６Ｓ１，６Ｓ２，６Ｓ３，６Ｓ４内において煙突効果を発生させることができる。
【００３５】
つまり、保持板４と放熱板６から熱が放出され、空間６Ｓ１，６Ｓ２，６Ｓ３，６Ｓ４内の空気が暖められると、この暖められた空気は、空間６Ｓ１，６Ｓ２，６Ｓ３，６Ｓ４内を上昇する。その結果、空間６Ｓ１，６Ｓ２，６Ｓ３，６Ｓ４内の下部が負圧となる。そして、貫通孔６Ａ１等を通して、照明装置１の周囲の空気が空間６Ｓ１，６Ｓ２，６Ｓ３，６Ｓ４内に流れ込む。このように空間６Ｓ１，６Ｓ２，６Ｓ３，６Ｓ４内で煙突効果が発生し、空間６Ｓ１，６Ｓ２，６Ｓ３，６Ｓ４内に照明装置１の周囲の冷えた空気が取り込まれるという空気の流れ（対流）ができることにより貫通孔６Ａ１等を設けない照明装置に比べて放熱効率を高くすることができる。
【００３６】
図７は、照明装置１を放熱板６の面を水平方向に沿わせ、横方向に照明光を照射するように配置する場合の放熱状況を示す図である。保持板４および放熱板６によって暖められた空間６Ｓ１，６Ｓ２，６Ｓ３，６Ｓ４内の空気は、貫通孔６Ａ１等を通して上方に抜け、そして、一番下側となる貫通孔６Ａ１から照明装置１の下側にある冷えた空気が取り込まれる、煙突効果が発生する。つまり、貫通孔６Ａ１から貫通孔６Ｅ１には、貫通孔６Ａ１から取り込まれた空気が、貫通孔６Ｂ１から貫通孔６Ｅ１を通って上方に抜ける空気の流れができる。
【００３７】
貫通孔６Ａ１から貫通孔６Ｅ１を通って上方に抜ける空気の流れができることにより、空間６Ｓ１，６Ｓ２，６Ｓ３，６Ｓ４内には、空間６Ｓ１，６Ｓ２，６Ｓ３，６Ｓ４の放熱板６の先端側の開放部から保持板４に向けて流入し、保持板４の表面を通り、再び空間６Ｓ１，６Ｓ２，６Ｓ３，６Ｓ４の放熱板６の先端側の開放部から外部に流れ出る空気の流れが発生する。このように空間６Ｓ１，６Ｓ２，６Ｓ３，６Ｓ４内に外部から取り込まれる空気の対流が発生することで、保持板４と放熱板６における熱の放出効率を高くすることができる。
【００３８】
図８は、上方に向けて照明光が照射されるように、照明装置１を配置する場合の放熱状況を示す図である。保持板４および放熱板６によって暖められた空間６Ｓ１，６Ｓ２，６Ｓ３，６Ｓ４内の空気は、貫通孔６Ａ１等を通して照明装置１の左右方向の側方に抜ける。そのため、空間６Ｓ１，６Ｓ２，６Ｓ３，６Ｓ４の下方の開放部から、照明装置１の下側にある冷えた空気が取り込まれる煙突効果が発生する。つまり、空間６Ｓ１，６Ｓ２，６Ｓ３，６Ｓ４内には、空間６Ｓ１，６Ｓ２，６Ｓ３，６Ｓ４の下方の開放部から貫通孔６Ａ１等を通して照明装置１の左右方向の側方に抜ける空気の流れができる。このように空間６Ｓ１，６Ｓ２，６Ｓ３，６Ｓ４内に外部から取り込まれる空気の流れを発生させることで、保持板４と放熱板６における熱の放出効率を高くすることができる。
【００３９】
図９は、斜め下に照明光が照射されるように、照明装置１を配置する場合の放熱状況を示す図である。保持板４および放熱板６によって暖められた空間６Ｓ１，６Ｓ２，６Ｓ３，６Ｓ４内では、暖められた空気が、貫通孔６Ａ１等を通して斜め上に抜ける空気の流れが生じる。また、各空間６Ｓ１，６Ｓ２，６Ｓ３，６Ｓ４内では、暖められた空気が各空間の上側に在る放熱板６面に沿って上方の開放部へと放出される空気の流れも生じる。
【００４０】
その結果、放熱板６Ｅの下側に在る冷えた空気が貫通孔６Ａ１等を介して空間６Ｓ４から空間６Ｓ３，空間６Ｓ２、そして空間６Ｓ１に供給される煙突効果が発生する。また、各空間６Ｓ１，６Ｓ２，６Ｓ３，６Ｓ４内では、上述したように、暖められた空気が、各空間の貫通孔６Ａ１等から斜め上方に抜けると共に、各空間の上側に在る放熱板６に沿って上方の開放部へと放出される空気の流れが発生する。
【００４１】
上述のように、各空間６Ｓ１，６Ｓ２，６Ｓ３，６Ｓ４内では、暖められた空気の放出と照明装置１の周囲の冷えた空気の供給が行われるため、保持板４と放熱板６における熱の放出効率を高くすることができる。また、放熱板６Ａの上側の空間では、貫通孔６Ａ１から抜けた空気の一部が放熱板６Ａに沿って上方に流れる。その結果、照明装置１の上方にある冷えた空気が放熱板６Ａの表面に供給されるため放熱板６Ａの放熱効率を高くすることができる。また、放熱板６Ｅの下側の空間では、貫通孔６Ｅ１に向かって流れる空気の一部が放熱板６Ｅに沿って上方に流れる。その結果、照明装置１の下側にある冷えた空気が放熱板６Ｅの表面へ供給されるため放熱板６Ｅについてもその放熱効率を高くすることができる。
【００４２】
なお、照明装置１を、放熱板６の長手方向を鉛直線方向に沿わせた状態で、横方向に光照射するように配置した場合には、空間６Ｓ１，６Ｓ２，６Ｓ３，６Ｓ４は、放熱板６の長手方向となる上方と、貫通孔６Ａ１等とを介して、照明装置１の周囲に開放されることになる。したがって、空間６Ｓ１，６Ｓ２，６Ｓ３，６Ｓ４内の空気が暖められ上昇すると、煙突効果により、貫通孔６Ａ１等から照明装置１の周囲の空気が取り込まれ、空間６Ｓ１，６Ｓ２，６Ｓ３，６Ｓ４の上方に向かう空気の流れが発生する。この空気の流れにより、保持板４と放熱板６における熱の放出効率を高くすることができる。
【００４３】
（本発明の実施の形態によって得られる主な効果）
本発明の実施の形態に係る照明装置１は、ＬＥＤ２を保持する保持板４と、保持板４に設けられ、放熱面が互いに向かい合うように配置される複数の放熱板６と、を備え、それら全ての放熱板６には、その一方の面から他方の面に貫通する貫通孔６Ａ１等が形成されている。そのため、ＬＥＤ２で発生した熱が保持板４および放熱板６に伝導すると、放熱板６の放熱面が向かい合う空間において、煙突効果が発生し、この煙突効果によって、放熱板６の放熱面が向かい合う空間内に照明装置１の周囲の空気が流れ込む空気の流れが促進される。したがって、放熱効率の良好な照明装置１を提供することができる。この効果は、上述したように、どのような光照射方向に照明装置１を配置した場合にも得ることができる。
【００４４】
保持板４から貫通孔６Ａ１等の保持板４側の縁部までの距離は非常に近接している。このように、放熱板６に形成する貫通孔６Ａ１等の位置を保持板４に近接させることで、隣り合う放熱板６同士の間に形成される空間内の全域に亘って煙突効果を発生させることができる。
【００４５】
つまり、例えば、貫通孔６Ａ１等から保持板４までの空間は、一方が保持板４により閉鎖されているため煙突効果が発生し難い。そのため、貫通孔６Ａ１を保持板４から離れた位置に形成した場合には、煙突効果が発生し難い空間が大きくなる。これに対し、貫通孔６Ａ１を保持板４に近接させて形成するほど、貫通孔６Ａ１等から保持板４までの間の空間を小さくすることができ、煙突効果が発生し難い空間を小さくすることができる。したがって、例えば、貫通孔６Ａ１等の保持板４側の縁部が、保持板４の面と同一位置となるように貫通孔６Ａ１等を形成することで、放熱板６と保持板４との間に形成される空間に最も広く煙突効果を発生させることができる。
【００４６】
なお、保持板４から貫通孔６Ａ１等までの距離Ｗ２を、保持板４からの放熱板６の高さ寸法Ｗ１（たとえば、放熱板６Ｅについて）の半分以下とすることで、貫通孔６Ａ１等から保持板４までの間の空間にも煙突効果による空気の対流を発生させることができ、保持板４から貫通孔６Ａ１までの空間に熱溜まりができることを防ぐことができる。つまり、保持板４と放熱板６からの放熱の効率を向上させることができ、放熱効率の良好な照明装置１を提供することができる。
【００４７】
そして、貫通孔６Ａ１等は、複数の放熱板６が配置される方向に沿って、かつ、放熱板６が配置される側の保持板４の表面形状に沿って形成されている。照明装置１では、放熱板６が配置される側の保持板４の表面形状が平面であるため、異なる放熱板６に形成される貫通孔６Ａ１等は、互いに対向している。そのため、異なる放熱板６に形成される貫通孔６Ａ１等の距離が近くなり、貫通孔６Ａ１等同士の間で空気の流れが発生し易くなる。したがって、複数配置される放熱板６の内、内側に配置される放熱板６についても、照明装置１の周囲の空気を取り込み易くなり、内側に配置される放熱板６により形成される空間にも煙突効果をより確実に発生させることができる。また、貫通孔６Ａ１を保持板４の表面形状に沿って形成することで、保持板４の表面に沿って流れる空気を貫通孔６Ａ１等に通り易くすることができる。
【００４８】
そして、貫通孔６Ａ１が形成される放熱板６と、この放熱板６に隣り合う放熱板６とは平行に設けられている。そのため、保持板４の各所において均一な煙突効果等による放熱が可能となる。
【００４９】
そして、放熱板６が、保持板４の溝４Ａ等の嵌めこまれて取り付けられているように、保持板４に対して別部材として構成されている。そのため、放熱板６への貫通孔６Ａ１等の形成は、放熱板６を保持板４に取り付ける前に行うことができる。よって、貫通孔６Ａ１等の形成作業が容易となる。
【００５０】
そして、複数の放熱板は、複数の放熱板の配置方向の両端側から内側に向かうに従って、放熱板の高さが高くなっている。そのため、照明装置１の全体形状が円柱形状に近づくこととなる。一方、通常ＬＥＤ２は、保持板４の短尺方向の中央領域に配置される。従って、ＬＥＤ２が配置される側に面積の大きな放熱板６Ｂ，６Ｃ，６Ｄが配置されることにより、照明装置１の放熱効率を高めることができる。また、照明装置１の断面の周囲の形状と大きさを直管蛍光灯の断面の形状と大きさとすることで、照明装置１を直管蛍光灯に代替することができる。
【００５１】
以上のように、本発明の実施の形態に係る照明装置１は、発光素子としてのＬＥＤ２を発光させることで照明する照明装置において、ＬＥＤ２を保持する保持板４と、保持板４に設けられ、放熱面が互いに向かい合うように配置される複数の放熱板６と、を備え、少なくとも、複数の放熱板６の配置方向の両端のいずれかに配置される放熱板６には、その一方の放熱面から他方の放熱面に貫通する貫通孔６Ａ１等が形成されている。
【００５２】
そして、保持体から貫通孔までの距離は、放熱板の保持体に対して反対側に位置する縁部と保持体との間の距離の半分以下となっている。そして、貫通孔は、少なくとも一対の隣り合って配置される放熱板に形成され、貫通孔は、複数の放熱板が配置される方向に沿って、かつ、放熱板が配置される側の保持体の表面形状に沿って形成されている。
【００５３】
そして、貫通孔６Ａ１等が形成される放熱板６と、この放熱板６に隣り合う放熱板６とは平行に設けられている。そして、放熱板６が、保持板４に対して別部材として取り付けられている。そして、複数の放熱板６は、複数の放熱板６の配置方向の両端側から内側に向かうに従って、放熱板６の高さが高くなっている。
【００５４】
（他の形態）
以上、本発明の実施の形態における照明装置１について説明したが、本発明の要旨を逸脱しない限り種々変更実施可能である。たとえば、貫通孔６Ａ１の形状は円形でなく半円形としたり、四角形または三角形等の多角形等とすることができる。しかし、貫通孔６Ａ１は、その形成のし易さを考慮すると円形とすることが好ましい。また、貫通孔６Ａ１等は、一つの放熱板６において複数等間隔に１列に形成されているが、１つだけ形成したり、千鳥状等に複数形成したり、２列以上の列に複数形成することができる。
【００５５】
また、３枚以上の放熱板を配置する場合には、外側に配置される放熱板ほど貫通孔の大きさを大きくすることで、周囲の空気を隣接する放熱の間の空間に流入させ易くすることができる。つまり、上述の照明装置１においては、貫通孔６Ａ１，６Ｅ１の開口を、他の貫通孔６Ｂ１，６Ｄ１，６Ｃ１の開口に比べて大きくしたり、あるいは、貫通孔６Ｃ１の開口の大きさよりも貫通孔６Ｂ１，６Ｄ１の開口を大きくし、さらに貫通孔６Ａ１，６Ｅ１の開口を、貫通孔６Ｂ１，６Ｄ１の開口よりも大きくするようにしてもよい。
【００５６】
また、貫通孔６Ａ１等は、放熱板６の全てに形成する必要は無く、放熱面が互いに向かい合うように配置される複数の放熱板６の配置方向の両端のいずれかの放熱板６Ａまたは６Ｅに形成されていれば良い。このような構成にすることで、少なくとも貫通孔６Ａ１または貫通孔６Ｅ１を利用した煙突効果等による放熱が可能となる。たとえば、放熱板６Ｃ以外の放熱板６に貫通孔６Ａ１等を設ける、または、放熱板６Ａ，６Ｅにのみ貫通孔６Ａ１，６Ｅ１を設けることで、照明装置１の放熱効果を左右対称に（均一に）近づけることができる。このように貫通孔６Ａ１または貫通孔６Ｅ１を利用した煙突効果による放熱構造としても、放熱板６Ｃ，６Ｂ，６Ｄでは、表面積の大きさによる放熱効果が期待できる。
【００５７】
また、隣合う放熱板６に形成される貫通孔６Ａ１等は、対向する位置に形成しなくても、また放熱板６の配置方向に沿って形成しなくても、煙突効果は得ることができる。また、保持板４から貫通孔６Ａ１等までの距離Ｗ２は、保持板４からの放熱板６の高さ寸法Ｗ１（たとえば放熱板６Ｅについて）の半分以下となっているが、その距離Ｗ２は、保持板４からの放熱板６の高さ寸法Ｗ１の半分を超える距離としても良い。
【００５８】
そして、貫通孔６Ａ１等は、放熱板６が配置される側の保持板４の表面形状である平面に沿って形成されているが、たとえば、保持板４の短尺方向に沿って徐々に保持板４から貫通孔６Ａ１等までの距離を大きくすることとしても良い。また、保持板４の放熱板６の配置側の面が突出するようにその短尺方向に丸みを帯びている場合にも同様に、その表面形状に沿って形成することが好ましいが、必ずしもそのような必要はない。ここで、隣り合う放熱板６に形成される貫通孔６Ａ１等同士による煙突効果を効率よく得るためには、隣り合う放熱板６に形成される貫通孔６Ａ１等は、対向する部分を有していることがより好ましい。
【００５９】
放熱板６および保持板４は、金属アルミニウム成形体からなっているが、ステンレス等の他の材質のものを用いても良い。この他の材質には、金属以外のセラミック等を含む。また、貫通孔６Ａ１等が形成される放熱板６と、この放熱板６に隣り合う放熱板６とは平行に設けられているが、たとえば、隣り合う放熱板６が所定の角度を有して設けられたり、放熱板６が曲線状に設けられるようにしても良い。また、放熱板６は、保持板４面に格子状に設けても良い。さらに、放熱板６は、保持板４の長尺方向に沿って連続して設けられているが、断続して設けられるようにしても良い。たとえば、ＬＥＤ２に近接するＬＥＤ２との対応部分に放熱板を断続的に設けるようにすることができる。
【００６０】
また、放熱板６は、保持板４に対して別部材として取り付けられているが、放熱板６と保持板４が一体成形されていても良い。また、放熱板６と保持板４との取付け方法は、溝４Ａ等に放熱板６を挿入するのではなく、放熱板６と保持板４とを溶接等によって一体化する方法等を採用できる。
【００６１】
また、複数の放熱板６は、複数の放熱板６の配置方向の両端側から内側に向かうに従って、放熱板６の高さが高くなっているが、たとえば、複数の放熱板６の高さを全て等しくすることができる。
【００６２】
また、基板３の材質はアルミナセラミックの他に熱伝導性の良好な窒化アルミニウム等の他のセラミック材料、または樹脂系の材料を用いることができる。また、透光板カバー５の材質はポリブロピレン等の他の樹脂系材料またはガラス等を用いることができる。
【００６３】
保持板４は、金属アルミニウム成形体をその材質として用いているが、セラミック、樹脂系材料またはガラス等の他の材質を採用することができる。保持板４の材料として、セラミック等のような絶縁性材料を採用することによって、基板３を用いる必要がなくなり、部品点数低減の観点から好ましい。また、保持板４の形状は長尺の四角形の板状ではなく、円盤形、球形等の他の形状とすることができる。たとえば、保持体の表面に凹部を設け、その凹部にＬＥＤ２を固定することとしても良い。
【００６４】
基板３と保持板４との固定には、溝４Ａの脇にＶ字溝を形成し放熱板６の加締めを行うことで実現している。しかし、固定の方法は、これに限られない。たとえば、３００℃の温度に耐え得る耐熱性のエポキシ系接着剤、またはシリカ・アルミナを主成分とする無機耐熱性接着剤（１０００℃以上の耐熱性を有する。）等を用いても良い。また、接着剤に樹脂系の接着剤を用いる場合にも、フェノール樹脂系の６００℃に耐え得るもの等を用いることができる。さらに、接着剤によって基板３と保持板４との貼り付けず、Ｖ字溝を設ける以外の加締め等によって、機械的に基板３と保持板４とを固定することとしても良い。
【００６５】
ＬＥＤ２は保持板４の長尺方向に２列に等間隔に配置しているが、１列または３列以上の配置とすること、非等間隔とすること、短尺方向に配置することができる。また、保持体が円形の場合は、円形に配置することができる。円形に配置することで、円形の蛍光管を用いた照明装置の代替品とすることができる。また、ＬＥＤ２は、白色光を発するチップ形のものだが、黄色みがかった白色等の他の発光色のもの、２色以上の発光色のＬＥＤを組み合わせ混合色を発するもの、チップ型ではなくディスクリート型のものを採用することができる。また、発光素子としてＬＥＤ２を用いているが、有機エレクトロルミネッセンス（Organic Electro-Luminescence、OEL、有機EL）、無機エレクトロルミネッセンス（Inorganic
Electro-Luminescence、IEL、無機EL）、レーザー光等の他の固体発光素子等を発光素子として採用できる。
【図面の簡単な説明】
【００６６】
【図１】本発明の実施の形態に係る照明装置の概略構成を示す正面図である。
【図２】図１の平面図である。
【図３】図１の底面図である。
【図４】図１の側面図である。
【図５】図１の切断線Ａ−Ａにおける断面を拡大した断面拡大図であって、固定部の図示を省略した図である。
【図６】本発明の実施の形態に係る照明装置を上方から下方に向けて光照射するように配置する場合の放熱状況を示す図である。
【図７】本発明の実施の形態に係る照明装置を放熱板の面を水平方向に沿わせ横方向に光照射するように配置する場合の放熱状況を示す図である。
【図８】本発明の実施の形態に係る照明装置を下方から上方に向けて光照射するように配置する場合の放熱状況を示す図である。
【図９】本発明の実施の形態に係る照明装置を斜め下に向けて光照射するように配置する場合の放熱状況を示す図である。
【図１０】従来のＬＥＤを用いる照明装置の概要を示す図である。
【図１１】図１０の切断線Ａ−Ａ断面図である。
【符号の説明】
【００６７】
１  照明装置
２  ＬＥＤ（発光素子）
３  基板（保持体）
４  保持板（保持体）
６  放熱板
６Ａ１，６Ｂ１，６Ｃ１，６Ｄ１，６Ｅ１  貫通孔
【図１】
2010073649.tif 000003
【図２】
2010073649.tif 000004
【図３】
2010073649.tif 000005
【図４】
2010073649.tif 000006
【図５】
2010073649.tif 000007
【図６】
2010073649.tif 000008
【図７】
2010073649.tif 000009
【図８】
2010073649.tif 000010
【図９】
2010073649.tif 000011
【図１０】
2010073649.tif 000012
【図１１】
2010073649.tif 000013